(57)【特許請求の範囲】
【請求項１】
第１ヒータで加温した温水を洗浄用ノズルから吐水する機能と、第２ヒータで加熱した温風を吐風する機能を備えた衛生洗浄装置において、
前記第１ヒータと前記第２ヒータの容量を等しくし、
所定の制御部で前記第１ヒータと前記第２ヒータを切換制御することを特徴とする衛生洗浄装置。
【請求項２】
前記第１ヒータの駆動用半導体と第２ヒータの駆動用半導体のそれぞれに取り付ける放熱器を共通のものにすることを特徴とする請求項１に記載の衛生洗浄装置。
【請求項３】
前記制御部は、前記第１ヒータと前記第２ヒータの双方の通電要求を受けたとき、前記第２ヒータを優先することを特徴とする請求項１または２に記載の衛生洗浄装置。
【請求項４】
前記第２ヒータは、前記洗浄用ノズルから吐水された温水で洗浄した部位の乾燥用ヒータであることを特徴とする請求項１，２または３に記載の衛生洗浄装置。
【請求項５】
トライアックを駆動用半導体として前記第１ヒータおよび第２ヒータをオンオフ制御することを特徴とする請求項１，２，３または４に記載の衛生洗浄装置。
【発明の詳細な説明】
【０００１】
【発明の属する技術分野】
本発明は、便器の便座後部に設置され、第１ヒータで加温した温水を洗浄用ノズルから吐水する機能と、第２ヒータで加熱した温風を吐風する機能を備えた衛生洗浄装置に関する。
【０００２】
【従来の技術】
従来、この種の衛生洗浄装置では、水道水を一旦、貯湯タンクに貯留し、当該タンク内の温水ヒータで加温し、適温の温水を洗浄用ノズルから吐水するようになっている。また洗浄後の部位を、温風乾燥する機能を有している。温風を出すための乾燥ヒータや温水ヒータは、ＡＣ１００Ｖの商用交流電源で駆動され、数百ワットの容量を持つこれらのヒータのオンオフは、トライアックを介してマイコンからディジタル制御される。また温水ヒータは、通常、乾燥ヒータよりも容量の大きいものが使用される。
【０００３】
数百ワットの容量をもつ温水ヒータや乾燥ヒータのオンオフを制御するトライアックには放熱器を取り付けるが、部品共通化を図るため、通常は、容量の大きい温水ヒータに合わせた放熱器を乾燥ヒータ制御用のトライアックにも使用していた。
【０００４】
【発明が解決しようとする課題】
温水ヒータの容量に合わせた放熱器を乾燥ヒータ側のトライアックにも使用する場合、温水ヒータよりも容量の小さい乾燥ヒータ側のトライアックにとっては、無駄に大きい放熱器になっていた。また衛生洗浄装置の最大消費電力を抑える等のために、通常は、温水ヒータと乾燥ヒータの同時使用を避けてこれらを切り換え通電するが、温水ヒータと乾燥ヒータの容量の違いから、同じ電源ライン上で電球を点灯させていると、ヒータの切り換え時にちらつきが生じるという問題があった。
【０００５】
本発明は、このような従来の技術が有する問題点に着目してなされたもので、温水ヒータと乾燥ヒータのオンオフ制御用半導体素子に取り付ける放熱器の効率的な使用とヒータ切り換え時の電源変動を防止することのできる衛生洗浄装置を提供することを目的としている。
【０００６】
【課題を解決するための手段】
かかる目的を達成するための本発明の要旨とするところは、次の各項の発明に存する。
［１］第１ヒータ（２１０）で加温した温水を洗浄用ノズル（１２）から吐水する機能と、第２ヒータ（２２０）で加熱した温風を吐風する機能を備えた衛生洗浄装置において、
前記第１ヒータ（２１０）と前記第２ヒータ（２２０）の容量を等しくし、
所定の制御部（１００）で前記第１ヒータ（２１０）と前記第２ヒータ（２２０）を切換制御することを特徴とする衛生洗浄装置。
【０００７】
［２］前記第１ヒータ（２１０）の駆動用半導体と第２ヒータ（２２０）の駆動用半導体のそれぞれに取り付ける放熱器（２３５，２４５）を共通のものにすることを特徴とする［１］に記載の衛生洗浄装置。
【０００９】
［３］前記制御部（１００）は、前記第１ヒータ（２１０）と前記第２ヒータ（２２０）の双方の通電要求を受けたとき、前記第２ヒータ（２２０）を優先することを特徴とする［１］または［２］に記載の衛生洗浄装置。
【００１０】
［４］前記第２ヒータ（２２０）は、前記洗浄用ノズル（１２）から吐水された温水で洗浄した部位の乾燥用ヒータであることを特徴とする［１］，［２］または［３］に記載の衛生洗浄装置。
【００１１】
［５］トライアックを駆動用半導体として前記第１ヒータ（２１０）および第２ヒータ（２２０）をオンオフ制御することを特徴とする［１］，［２］，［３］または［４］に記載の衛生洗浄装置。
【００１２】
前記本発明は次のように作用する。
洗浄水を加温するための第１ヒータ（２１０）と温風用の第２ヒータ（２２０）の容量を等しくしたものでは、これらのヒータをオンオフ制御する駆動用半導体素子に取り付ける放熱器（２３５、２４５）を共通化しても、双方とも、容量に見合った最適な放熱器（２３５、２４５）とすることができ、共用放熱器（２３５、２４５）を効率的に使用することができる。
【００１３】
また、制御部（１００）で第１ヒータ（２１０）と第２ヒータ（２２０）を切換制御するようにし、洗浄水を加温するための第１ヒータ（２１０）と温風用の第２ヒータ（２２０）の容量を等しくしたので、切り換え時の電源変動が抑制され、同じ電源ライン上で点灯している電球がヒータの切り換え時にちらつく等の問題が解消される。
【００１４】
また温水用の第１ヒータ（２１０）と乾燥用の第２ヒータ（２２０）の双方の通電要求を受けたとき、使用者の操作に基づいて動作すべき第２ヒータ（２２０）を優先的に駆動するので、使用者に違和感を与えたり快適性を損なわずに、切り換え制御を行うことができる。
【００１５】
【発明の実施の形態】
以下、図面に基づき本発明を代表する一の実施の形態を説明する。
各図は、本発明の一実施の形態を示している。
本実施の形態に係る衛生洗浄装置１０は、図示省略したが便器本体の便座後方にベースプレートを介して設置され、水道水を温めた湯水を洗浄用ノズル１２より人体局部に噴射させて使用するものである。
【００１６】
図２から図４に示すように、衛生洗浄装置１０は外装を成すケースカバー１１（図中では底面側の一部のみ示す。）を備えている。ケースカバー１１内には、洗浄用ノズル１２を略中心にして、その片側に貯湯タンク２１を主要部とする熱交換ユニット２０が収納されている。貯湯タンク２１内の水道水は、温水ヒータ２１０によって加熱される。もう片側には温風ユニット１３、バルブユニット１５、それにコントローラ１００、その他関連機器がコンパクトに収納されている。
【００１７】
洗浄用ノズル１２は、専用の駆動機構によって、待機位置とお尻用ないしビデ用の２つの洗浄位置とに前方へ向かって出没可能に支持されている。また温風ユニット１３は、暖気ダクトを一体的に形成したケース内に乾燥ヒータ２２０及び送風器を組み込んで成り、洗浄後の部位を乾燥するためのものである。洗浄用ノズル１２が進出する部分のすぐ隣には、乾燥用温風の吐風口１４がある。吐風口１４には図示省略した蓋が取り付けられる。この蓋は、上部の水平支軸に回動自在に支持され、通常は、自重によって吐風口１４を封鎖し、温風が噴出する際には、温風の勢いによって上方へ開くよう構成されている。
【００１８】
バルブユニット１５は、貯湯タンク２１内に供給される水の圧力を調整等するための各種バルブから成るものである。コントローラ１００は、マイコンのＣＰＵを中心にして構成されており、各水量や各温度等を所定のプログラムに従って制御するものである。なお、ケースカバー１１の更に一端側には、操作用の各種スイッチが搭載されたコントロールパネルから成る主操作部１０１や補助操作部１０２も一体に配設されている。これらの操作部の中には、使用者が洗浄を指示するためのスイッチや、洗浄した部位の乾燥を指示するためのスイッチ等がある。
【００１９】
図１は、温水ヒータ２１０および乾燥ヒータ２２０を駆動制御するための回路構成を示している。温水ヒータ２１０、乾燥ヒータ２２０はともに、商用交流電源であるＡＣ１００Ｖで駆動される。温水ヒータ２１０と乾燥ヒータ２２０は同じ容量のヒータである。温水ヒータ２１０のオンオフは、第１のトライアック２３０により行う。また乾燥ヒータ２２０のオンオフは、第２のトライアック２４０により行う。第１のトライアック２３０および第２のトライアック２４０の安定動作を確保するために、これらと並列に、抵抗器とコンデンサを直列接続したスナバー回路２３１、２４１を設けてある。
【００２０】
温水ヒータ２１０、乾燥ヒータ２２０はともに容量が数百Ｗと大きいので、第１のトライアック２３０のＧピンを第１のフォトトライアック２３２で、第２のトライアック２４０のＧピンを第２のフォトトライアック２４２でそれぞれ駆動するようになっている。第１のフォトトライアック２３２、第２のフォトトライアック２４２は、ドライバ素子２３３、２４３を介してそれぞれコントローラ１００からオンオフ制御される。第１のトライアック２３０には放熱器２３５が取り付けてあり、第２のトライアック２４０には放熱器２３５と同じ放熱器２４５が取り付けてある。
【００２１】
コントローラ１００からドライバ素子２３３を駆動すると、第１のフォトトライアック２３２のＧピンが駆動され、この第１のフォトトライアック２３２によって第１のトライアック２３０のＧピンが駆動され、温水ヒータ２１０がオンになる。同様にコントローラ１００からドライバ素子２４３を駆動すると、第２のフォトトライアック２４２のＧピンが駆動され、この第２のフォトトライアック２４２によって第２のトライアック２４０のＧピンが駆動され、乾燥ヒータ２２０がオンになる。このように第１のフォトトライアック２３２および第２のフォトトライアック２４２を介して第１のトライアック２３０、第２のトライアック２４０を制御することにより、コントローラ１００側のディジタル回路と温水ヒータ２１０、乾燥ヒータ２２０側のＡＣ１００Ｖ系との絶縁が保たれ、安全が確保される。
【００２２】
次に作用を説明する。
まず、温水ヒータ２１０と乾燥ヒータ２２０の容量が同じなので、放熱器２３５、２４５を共通化しつつ、双方に最適な放熱能力となる。
【００２３】
コントローラ１００は、図示省略したセンサにより貯湯タンク２１内の水温を検知し、所定の温度を維持すべく、温水ヒータ２１０のオン要求を内部発生させる。一方、乾燥ヒータ２２０のオン要求は、使用者が洗浄部位を乾燥する目的で所定のスイッチを操作することに基づいて発生する。コントローラ１００は、温水ヒータ２１０のオン要求と、乾燥ヒータ２２０のオン要求が競合した場合には、乾燥ヒータ２２０を優先的にオンにし、温水ヒータ２１０はオフにする。そして乾燥ヒータ２２０のオン要求がないとき、温水ヒータ２１０のオン要求に従って温水ヒータ２１０を駆動する。
【００２４】
図５は、温水ヒータ２１０のオン要求と乾燥ヒータ２２０のオン要求が重なった場合におけるヒータの駆動パターンの一例を示している。なおトライアックによるオンオフ制御なので、電流が流れなくなった時点で切り換わっている。
【００２５】
温水ヒータ２１０と乾燥ヒータ２２０とを図５に示すように切り換えても、温水ヒータ２１０と乾燥ヒータ２２０の容量が同じなので、電源にかかる負荷は変動しない。その結果、同一の電源ラインで室内の電球等を点灯している場合でも、ちらつきは生じない。
【００２６】
また温水ヒータ２１０と乾燥ヒータ２２０のオン要求が競合した際に、使用者の操作に基づいてオンにすべき乾燥ヒータ２２０を優先するので、使用者に違和感を与えたり快適性を損なうことなく切り換え制御を行うことができる。
【００２７】
【発明の効果】
本発明にかかる衛生洗浄装置によれば、洗浄水を加温するための第１ヒータと温風用の第２ヒータの容量を等しくしたので、これらのヒータをオンオフ制御する駆動用半導体素子に取り付ける放熱器を共通化しても、双方とも、最適な放熱器とすることができ、共用放熱器を効率的に使用することができる。
【００２８】
また、制御部で第１ヒータと第２ヒータを切換制御するようにし、洗浄水を加温するための第１ヒータと温風用の第２ヒータの容量を等しくしたので、切り換え時の電源変動が抑制され、同じ電源ライン上で点灯している電球がヒータの切り換え時にちらつく等の問題が解消される。
【００２９】
さらに温水用の第１ヒータと乾燥用の第２ヒータの双方の通電要求を受けたとき、使用者の操作に基づいて動作させる第２ヒータを優先的に駆動するので、使用者に違和感を与えたり快適性を損なうことなく切り換え制御を行うことができる。
【図面の簡単な説明】
【図１】本発明の一実施の形態に係る衛生洗浄装置の温水ヒータおよび乾燥ヒータを駆動制御するための回路構成を示すブロック図である。
【図２】本発明の一実施の形態に係る衛生洗浄装置を示す斜視図である。
【図３】本発明の一実施の形態に係る衛生洗浄装置を示す上面図である。
【図４】本発明の一実施の形態に係る衛生洗浄装置を示す正面図である。
【図５】本発明の一実施の形態に係る衛生洗浄装置が温水ヒータと乾燥ヒータのオン要求を同時に受けた際の駆動パターンを示す説明図である。
【符号の説明】
１０…衛生洗浄装置
１１…ケースカバー
１２…洗浄用ノズル
１３…温風ユニット
１４…吐風口
１５…バルブユニット
２０…熱交換ユニット
２１…貯湯タンク
１００…コントローラ
１０１…主操作部
１０２…補助操作部
２１０…温水ヒータ
２２０…乾燥ヒータ
２３０…第１のトライアック
２３１、２４１…スナバー回路
２３２…第１のフォトトライアック
２３３、２４３…ドライバ素子
２３５、２４５…放熱器
２４０…第２のトライアック
２４２…第２のフォトトライアック
【図１】
0004634632.tif 000002
【図２】
0004634632.tif 000003
【図３】
0004634632.tif 000004
【図４】
0004634632.tif 000005
【図５】
0004634632.tif 000006